(57)【要約】【課題】サイフォン排水システムを容易に構築することができる合流継ぎ手を提供する。【解決手段】下方の排水立て管１４を連結するための下部筒状部２４と、該下部筒状部に通じる上部筒状部２２と、該上部筒状部の開口部２１を覆う蓋部３２とを有し、前記蓋部に、上方の排水立て管１２を連結するための上部排水立て管連結口３６と、サイフォン排水管１６を連結するためのサイフォン排水管連結口３８とが形成されていることを特徴とする立て管合流継ぎ手１０。好ましくは、前記上下の筒状部を構成する本体２０と、該本体の上部筒状部の開口部に装着され、前記蓋部を構成する蓋部材３０とを備えている。【選択図】図１
2008111318.tif 000002
【特許請求の範囲】
【請求項１】
下方の排水立て管を連結するための下部筒状部と、該下部筒状部に通じる上部筒状部と、該上部筒状部の開口部を覆う蓋部とを有し、前記蓋部に、上方の排水立て管を連結するための上部排水立て管連結口と、サイフォン排水管を連結するためのサイフォン排水管連結口とが形成されていることを特徴とする立て管合流継ぎ手。
【請求項２】
前記立て管合流継ぎ手が、前記上下の筒状部を構成する本体と、該本体の上部筒状部の開口部に装着され、前記蓋部を構成する蓋部材とを備えていることを特徴とする請求項１に記載の立て管合流継ぎ手。
【請求項３】
前記立て管合流継ぎ手が、排水を旋回させて流す旋回構造を有することを特徴とする請求項１又は請求項２に記載の立て管合流継ぎ手。
【請求項４】
請求項１ないし請求項３のいずれか一項に記載の立て管合流継ぎ手を用い、上方の排水立て管を前記上部排水立て管連結口に連結する工程と、サイフォン排水管を前記サイフォン排水管連結口に連結する工程と、下方の排水立て管を前記下部筒状部に連結する工程とを含むことを特徴とする排水システムの構築方法。
【発明の詳細な説明】
【技術分野】
【０００１】
本発明は、建築物のサイフォン排水システムに用いる立て管合流継ぎ手及びそれを用いた排水システムの構築方法に関する。
【背景技術】
【０００２】
マンション等の集合住宅、オフィスビル等の建築物における流し台、洗面台、風呂場等の水周り器具から流出する排水は、一般的に、建物内で太い排水立て管に一旦合流させて建物の外の下水管に排出される。
【０００３】
近年、サイフォンの原理を利用した、いわゆるサイフォン排水システムが開発されている（例えば特許文献１参照）。図３はサイフォン排水システムの一例の構成を概略的に示しており、流し等の水周り器具４２と排水立て管４８との間にサイフォン排水管４５が配設されている。サイフォン排水管４５は、主に排水立て管４８に向けて水平方向に延びる横引き管４４と、排水立て管４８に沿って落ち込む竪管４６とから構成されており、水頭差Ｈｓをもって排水立て管４８に合流される。通常、サイフォン排水管４５は例えば管径が２０Ａのポリブテン管が用いられる。サイフォン排水管４５内の水は満流にて排水管４５内を流れ、水頭差Ｈｓの吸引力によってサイフォンが発生して排水が行われる。
【０００４】
このようなサイフォン排水システム４０では、横引き管４４が無勾配で配置され、若干の上り勾配があっても排水が十分可能である。また、横引き管４４は無勾配で配置することができるため、図５に示したように床スラブＳと床６０との間の床下ふところを小さくすることができる。
【０００５】
【特許文献１】特開平６−４２０１９号公報
【発明の開示】
【発明が解決しようとする課題】
【０００６】
本発明は、サイフォン排水システムを容易に構築することができる立て管合流継ぎ手を提供することを主な目的とする。
【課題を解決するための手段】
【０００７】
上記目的を達成するため、本発明では以下の立て管合流継ぎ手等が提供される。
【０００８】
＜１＞  下方の排水立て管を連結するための下部筒状部と、該下部筒状部に通じる上部筒状部と、該上部筒状部の開口部を覆う蓋部とを有し、前記蓋部に、上方の排水立て管を連結するための上部排水立て管連結口と、サイフォン排水管を連結するためのサイフォン排水管連結口とが形成されていることを特徴とする立て管合流継ぎ手。
なお、蓋部は、上部筒状部と一体的に形成されていても構わない。
【０００９】
＜２＞  前記立て管合流継ぎ手が、前記上下の筒状部を構成する本体と、該本体の上部筒状部の開口部に装着され、前記蓋部を構成する蓋部材とを備えていることを特徴とする＜１＞に記載の立て管合流継ぎ手。
【００１０】
＜３＞  前記立て管合流継ぎ手が、排水を旋回させて流す旋回構造を有することを特徴とする＜１＞又は＜２＞に記載の立て管合流継ぎ手。
【００１１】
＜４＞  ＜１＞ないし＜３＞のいずれかに記載の立て管合流継ぎ手を用い、上方の排水立て管を前記上部排水立て管連結口に連結する工程と、サイフォン排水管を前記サイフォン排水管連結口に連結する工程と、下方の排水立て管を前記下部筒状部に連結する工程とを含むことを特徴とする排水システムの構築方法。
【発明の効果】
【００１２】
本発明によれば、サイフォン排水システムを容易に構築することができる立て管合流継ぎ手が提供される。
【発明を実施するための最良の形態】
【００１３】
以下、図面を参照しながら、本発明に係る立て管合流継ぎ手（以下、単に合流継ぎ手という場合がある。）について説明する。なお、本発明に係る立て管合流継ぎ手は、集合住宅、オフィスビル等の一般建築であれば特に限定されずに適用することができるが、最も好適な態様として集合住宅に適用する場合について説明する。
図１は、本発明に係る立て管合流継ぎ手の構成の一例を示す概略図である。この合流継ぎ手１０は、上下の筒状部２２，２４を構成する本体２０と、該本体２０の上部筒状部２２の開口部２１に装着される蓋部材３０とを備えている。
【００１４】
上下の筒状部２２，２４はそれぞれ円筒状に形成されており、下部筒状部２４には下方の排水立て管１４を連結するための貫通孔（下部排水立て管連結口）２５が形成されている。一方、上部筒状部２２は下部筒状部２４よりも大きな径を有し、かつ、偏心するように形成されている。また、上下の筒状部２２，２４の間には上下の筒状部２２，２４に通じる連結部２６が形成されている。
上下の筒状部２２，２４の径は、それぞれ連結させる排水立て管１２，１４の径や建物の大きさや種類、水周り器具の数等によって異なるが、例えば、上下の排水立て管１２，１４の管径がともに１００Ａであれば、上部筒状部２２は排水立て管１２とサイフォン排水管１６を連結することができるように１５０〜２００Ａ程度とすることができる。一方、下部筒状部２４は、排水立て管１４を嵌め込むことができるように１００Ａ程度とすることができる。
【００１５】
蓋部材３０は、上部筒状部２２の開口部２１を覆う蓋部３２と、開口部２１に装着するための装着部３４とを有している。
蓋部３２には、上方の排水立て管（上部排水立て管）１２を連結させるための１つの上部排水立て管連結口３６と、サイフォン排水管（竪管）１６を連結するための７つのサイフォン排水管連結口３８が形成されている。上部排水立て管連結口３６は、下部筒状部２４の貫通孔（下部排水立て管連結口）２５に対向配置可能な位置に形成されており、上部排水立て管連結口３６とサイフォン排水管連結口３８は、蓋部３２を略半々に分ける領域にそれぞれ形成されている。なお、サイフォン排水管連結口３８の数は特に限定されず、連結させるサイフォン排水管１６の数に応じて適宜設定すればよい。
【００１６】
蓋部材３０は、装着部３４を上部筒状部２２の開口部２１に嵌め込むことで装着可能となっている。装着部３４の一部は、上部排水立て管連結口３６よりも僅かに内側に位置するように形成されている。
【００１７】
なお、図１に示す合流継ぎ手１０は、上下の筒状部２２，２４の径が異なり、偏心した円筒状に形成されているが、本発明に係る立て管合流継ぎ手は異径である必要はなく、上下の筒状部は同じ径でもよいし、同心であってもよい。
また、排水立て管連結口２５，３６の形状は任意であり、排水立て管１２，１４を連結させることができればどのような形状でもよい。排水立て管１２，１４を排水立て管連結口２５，３６に連結させる方法としては、接着、ねじ込み、ボルト等を用いたメカニカル、溶着、挿入のみ等が挙げられる。
【００１８】
このような本発明に係る立て管合流継ぎ手１０の材質は特に限定されず、公知の合流継ぎ手として使用されている材質と同等のものを用いて成形することができる。例えば、合成樹脂、金属、セラミック等が挙げられる。
【００１９】
なお、継ぎ手本体２０に関しては、場合によっては、該本体２０と同様の形状を有する既存の合流継ぎ手を利用することができる。この場合、例えば、既存の異径合流継ぎ手の大径部側に装着することができるように蓋部材３０を成形すればよい。このように既存の合流継ぎ手を利用すれば、施工が容易であり、また、製造コストを低く抑えることができる。
【００２０】
また、本発明に係る立て管合流継ぎ手は、排水を旋回させて流す旋回構造を有することもできる。例えば、継ぎ手本体２０の内壁の一部に図４に示すような管軸に対して傾斜した板状部（旋回羽根）２７を設ければ、排水流を旋回させながら排水させることができ、排水能力を高めることができる。あるいは、サイフォン排水管１６からの排水をサイフォン排水管連結口３８を通じて管軸に対して斜め方向に排出する構造とすれば、継ぎ手本体２０の内部で排水を旋回させながら流すことができる。
【００２１】
次に、上記のような立て管合流継ぎ手１０を用いてサイフォン排水システムを構築する方法の一例について説明する。
まず、下方の排水立て管（下部排水立て管）１４を、継ぎ手本体２０の下部筒状部２４の孔（下部排水立て管連結口）２５に嵌め込む。下部排水立て管１４の端部は、図２に示されるように連結部２６手前の縮径する部分２４ａに当接することで位置決めされる。必要に応じ接着剤等を用いて固定してもよい。このようにして下部排水立て管１４を合流継ぎ手１０に容易に連結することができる。なお、前記したようにボルト等で固定するメカニカル方式やねじ込み式により連結できるようにしてもよい。
【００２２】
次いで、継ぎ手本体２０の開口部２１に蓋部材３０の装着部３４を嵌め込んで蓋部材３０を装着する。これにより上部筒状部２２の開口部２１が蓋部３２により覆われる。通常は、上部排水立て管連結口３６が下部筒状部２４の孔２５と同軸となり、対向配置されるように蓋部材３０を装着するが、継ぎ手本体２０と蓋部材３０とが別体となっているので、上下の排水立て管１２，１４の中心位置をずらす必要があれば、蓋部材３０は、上部排水立て管連結口３６の中心位置を下部筒状部２４の中心からずらして装着することもできる。
また、蓋部材３０を装着する際、蓋部材３０の装着部３４と上部筒状部２２との間に接着剤を介在させて確実に固定してもよい。なお、ねじ込みやメカニカルで蓋部材３０を装着できるようにしてもよい。
【００２３】
蓋部材３０を継ぎ手本体２０に装着した後、上部排水立て管１２を、蓋部材３０の上部排水立て管連結口３６に嵌め込む。このとき、上方の排水立て管１２の端部は、図２に示すように蓋部材３０の装着部３４の一部と当接することで位置決めされる。このように上部排水立て管１２も合流継ぎ手１０に容易に連結することができる。この場合も、必要に応じ接着剤を用いて固定してもよい。また、ボルト等で固定するメカニカル方式やねじ込み式により連結するようにしてもよい。
【００２４】
さらに、各水周り器具に通じるサイフォン排水管（竪管）１６を、蓋部材３０のサイフォン排水管連結口３８にそれぞれ連結する。サイフォン排水管１６の連結方法は特に限定されず、公知の連結手段を採用することができる。例えば、各サイフォン排水管（竪管）１６の端部と、各サイフォン排水管連結口３８にネジ止め可能な連結具１８，１９をそれぞれ設けておけば、各サイフォン排水管１６をサイフォン排水管連結口３８に容易にかつ確実に連結することができる。
【００２５】
また、図１に示した立て管合流継ぎ手１０では、サイフォン排水管連結口３８が蓋部３２の略半分側に集合しているので、個々のサイフォン排水管１６を容易に連結することができるとともに、サイフォン排水管１６がまとまって配置されるため、省スペース化の点でも有利である。
【００２６】
このように本発明に係る立て管合流継ぎ手１０を用いることで、上下に分かれた排水立て管１２，１４を容易に連結することができるとともに、各水周り器具に通じるサイフォン排水管１６を連結することができ、サイフォン排水システムを容易に構築することができる。特に、既存の立て管合流継ぎ手を本発明に係る立て管合流継ぎ手１０に置き換えて、合流継ぎ手以外は既存のものを用いることができるため、サイフォン排水システムを低コストで構築することができる。
【００２７】
なお、上下の排水立て管１２，１４及びサイフォン排水管１６を連結する順序は、上記の順序に限定されず、例えば、上部排水立て管１２とサイフォン排水管１６を蓋部材３０に連結した後、蓋部材３０を継ぎ手本体２０に取り付け、次いで、継ぎ手本体２０の下部筒状部２４に下部排水立て管１４を嵌め込んで連結してもよい。また、工場などでプレハブ加工を実施してもよい。
【００２８】
以上、本発明に係る立て管合流継ぎ手及びこれを用いたサイフォン排水システムについて説明したが、本発明は上記実施形態に限定されるものではない。例えば、継ぎ手本体と蓋部材とが予め一体となった立て管合流継ぎ手としてもよいし、上部筒状部と下部筒状部とが同軸に形成されている立て管合流継ぎ手としてもよい。
【００２９】
また、本発明に係る立て管合流継ぎ手は、サイフォン排水システムを構築する建物であれば特に制限されずに適用することができ、マンション等の集合住宅のほか、オフィスビル、工場等の水周り器具等からの排水にも適用可能である。
【図面の簡単な説明】
【００３０】
【図１】本発明に係る立て管合流継ぎ手の各構成の一例を示す概略図である。（Ａ）断面図  （Ｂ）蓋部材の平面図
【図２】図１に示した立て管合流継ぎ手に上下の排水立て管とサイフォン排水管とを連結させた状態を示す概略断面図である。
【図３】サイフォン排水システムの構成の一例を示す概略図である。
【図４】合流継ぎ手本体内に設けた排水旋回構造の一例を示す概略図である。
【図５】サイフォン排水システムの床下ふところを示す概略図である。
【符号の説明】
【００３１】
１０・・・立て管合流継ぎ手
１２・・・上部排水立て管
１４・・・下部排水立て管
１６・・・サイフォン排水管（竪管）
２０・・・継ぎ手本体
２２・・・上部筒状部
２４・・・下部筒状部
２５・・・下部排水立て管連結口
２７・・・板状部（旋回羽根）
３０・・・蓋部材
３２・・・蓋部
３６・・・上部排水立て管連結口
３８・・・サイフォン排水管連結口
【図１】
2008111318.tif 000003
【図２】
2008111318.tif 000004
【図３】
2008111318.tif 000005
【図４】
2008111318.tif 000006
【図５】
2008111318.tif 000007